(57)【要約】      （修正有）【課題】構造が簡単で支承取付用プレートとアンカーボルトの固定作業が容易で、地震時の水平力、上揚力に対する抵抗性が大きく、支承装置取替えの撤去作業も容易な支承固定構造を提供する。【解決手段】下部にアンカーボルト用雌ねじ部と上部に上揚力対応ボルト用雌ねじ部を有する円筒形のカプラー１１と、外周に雄ねじ部を有し先端に回動工具係合凹部を有する前記上揚力対応ボルト１２とを、上揚力対応ボルト用雌ねじ部を有する小径部と前記小径部と段部を介して連通する前記カプラー１１の外径とほぼ同じ内径の大径部とを有する取付穴を形成した支承取付用プレート５に対し、アンカーボルト１３の先端雄ねじ部１３Ａをアンカーボルト用雌ねじ部に螺着した前記カプラー１１を前記大径部に配し、前記上揚力対応ボルト１２を前記取付穴の小径部の上揚力対応ボルト用雌ねじ部と前記カプラー１１の上揚力対応ボルト用雌ねじ部に渡って螺着して固定する。【選択図】図１
2010216085.tif 000002
【特許請求の範囲】
【請求項１】
下部にアンカーボルト用雌ねじ部と上部に上揚力対応ボルト用雌ねじ部を有する円筒形のカプラーと、外周に雄ねじ部を有し上端面に回動工具係合凹部を有する上揚力対応ボルトとを、上揚力対応ボルト用雌ねじ部を有する小径部と、前記小径部と段部を介して連通する前記カプラーの外径とほぼ同じ内径の大径部とを有する取付穴を形成した支承取付用プレートに対し、アンカーボルトの先端雄ねじ部をアンカーボルト用雌ねじ部に螺着した前記カプラーを前記大径部に配し、前記上揚力対応ボルトを前記取付穴の小径部の上揚力対応ボルト用雌ねじ部と前記カプラーの上揚力対応ボルト用雌ねじ部に渡って螺着し固定することを特徴とする支承固定構造。
【請求項２】
前記上揚力対応ボルトの上端面が前記支承取付用プレートの表面と同一面になるよう固定することを特徴とする請求項１に記載の支承固定構造。
【請求項３】
固定時に前記上揚力対応ボルトの回動工具係合凹部に除去可能な充填材を充填することを特徴とする請求項１又は２に記載の支承固定構造。
【請求項４】
前記カプラーのアンカーボルト用雌ねじ部の内径と上揚力対応ボルト用雌ねじ部の内径を異なるようにし、前記アンカーボルト用雌ねじ部と前記上揚力対応ボルト用雌ねじ部とが連通する状態又はそれぞれ底部を有する状態にすることを特徴とする請求項１〜３のいずれかに記載の支承固定構造。
【発明の詳細な説明】
【技術分野】
【０００１】
本発明は、建築物や橋梁等の構造物の上部構造と下部構造の間に配置される支承装置を、上部構造又は下部構造に配されるアンカーボルトを介して固定する支承固定構造に関する。
【背景技術】
【０００２】
支承装置を構造物に固定する支承固定構造として、上部構造又は下部構造に埋設固定されるアンカーボルトの先端に形成した雄ねじ部を支承取付用プレートに形成した取付穴に挿通し、アンカーボルトの先端に形成した雄ねじ部に座金を介してナットを螺着して固定する固定構造や、取付穴に雌ねじを形成しアンカーボルトの先端部に形成した雄ねじ部を雌ねじ取付穴の雌ねじに直接螺着し固定する固定構造や、支承取付用プレートとアンカーボルトを段付きカプラーと溶接手段を介して固定するものがある。
【先行技術文献】
【特許文献】
【０００３】
【特許文献１】特開２００１−３３１３号公報
【特許文献１】特開２００２−２５０００８号公報
【発明の概要】
【発明が解決しようとする課題】
【０００４】
しかしながら、アンカーボルトの先端に形成した雄ねじ部を支承取付用プレートに形成した取付穴に挿通し、アンカーボルトの先端に形成した雄ねじ部に座金を介してナットを螺着して固定する固定構造は、アンカーボルトの先端の雄ねじ部と取付穴との間に間隙が形成されるため地震時の水平力に対する抵抗力が弱く、さらに、アンカーボルト先端部の雄ねじ部の外径が取付穴の内径より小さいため、座金とナットでアンカーボルトと螺着後、座金と支承装置取付用プレートを溶接により固定する必要があり、支承装置の設置、取替えのための撤去作業が困難になるという問題を有する。
【０００５】
また、取付穴に雌ねじを形成しアンカーボルトの先端部に形成した雄ねじ部を取付穴の雌ねじに直接螺着し固定する固定構造は、地震時の水平力に対向するため、螺着長さが必要であり、そのため支承取付用プレートの板厚を厚くしなければならず、軽量化が望まれる支承装置の重量を増加させるという問題と、支承装置の取替えのための撤去作業が困難であるという問題を有する。
【０００６】
支承取付用プレートとアンカーボルトを段付きカプラーと溶接手段を介して固定する固定構造は、支承装置の取替えのための撤去作業の際、アンカーボルトを埋設固定しているコンクリートのはつり作業が必要になるという問題を有する。
【０００７】
本発明は、上記従来技術の持つ課題を解決する、構造が簡単で支承取付用プレートとアンカーボルトの固定作業が容易で、地震時の水平力、上揚力に対する抵抗性が大きく、支承装置取替えのための撤去作業も容易にできる支承固定構造を提供することを目的とする。
【課題を解決するための手段】
【０００８】
本第１発明は、前記課題を解決するために、支承固定構造において、下部にアンカーボルト用雌ねじ部と上部に上揚力対応ボルト用雌ねじ部を有する円筒形のカプラーと、外周に雄ねじ部を有し先端に回動工具係合凹部を有する前記上揚力対応ボルトとを、上揚力対応ボルト用雌ねじ部を有する小径部と前記小径部と段部を介して連通する前記カプラーの外径とほぼ同じ内径の大径部とを有する取付穴を形成した支承取付用プレートに対し、アンカーボルトの先端雄ねじ部をアンカーボルト用雌ねじ部に螺着した前記カプラーを前記大径部に配し、前記上揚力対応ボルトを前記取付穴の小径部の上揚力対応ボルト用雌ねじ部と前記カプラーの上揚力対応ボルト用雌ねじ部に渡って螺着し固定することを特徴とする。
【０００９】
本第２発明は、本第１発明の支承固定構造において、前記上揚力対応ボルトの上端面が支承取付用プレートの表面と同一面になるよう固定することを特徴とする。
【００１０】
本第３発明は、本第１発明又は第２発明の支承固定構造において、固定時に前記上揚力ボルトの回動工具係合凹部に除去可能な充填材を充填することを特徴とする。
【００１１】
本第４発明は、本第１発明〜第３発明のいずれかの支承固定構造において、前記カプラーのアンカーボルト用雌ねじ部の内径と上揚力対応ボルト用雌ねじ部の内径を異なるようにし、前記アンカーボルト用雌ねじ部と前記上揚力対応ボルト用雌ねじ部とが連通する状態又はそれぞれ底部を有する状態にすることを特徴とする。
【発明の効果】
【００１２】
本発明の、下部にアンカーボルト用雌ねじ部と上部に上揚力対応ボルト用雌ねじ部を有する円筒形のカプラーと、外周に雄ねじ部を有し先端に回動工具係合凹部を有する前記上揚力対応ボルトとを、上揚力対応ボルト用雌ねじ部を有する小径部と前記小径部と段部を介して連通する前記カプラーの外形とほぼ同じ内径の大径部とを有する取付穴を形成した支承取付用プレートに対し、アンカーボルトの先端雄ねじ部をアンカーボルト用雌ねじ部に螺着した前記カプラーを前記大径部に配し、前記上揚力対応ボルトを前記取付穴の小径部の上揚力対応ボルト用雌ねじ部と前記カプラーの上揚力対応ボルト用雌ねじ部に渡って螺着し固定する構成により、取付穴の小径部の雌ねじ部とカプラーの雌ねじ部に渡って螺着される上揚力対応ボルトが地震時の上揚力に対して抵抗でき、上揚力対応ボルトの先端面の回動工具係合凹部が形成されているため、支承装置の設置、撤去作業を上揚力対応ボルトの回動操作のみで実施できる。
上揚力対応ボルトの上端面が支承取付用プレートの表面と同一面になるよう固定する構成により、支承取付用プレートに邪魔な突起部が形成されないため他の支承装置の構成部材の配置が容易になる。
固定時に前記上揚力ボルトの回動工具係合凹部に除去可能な充填材を充填する構成により、回動工具係合凹部に水等が溜まり腐食するのを防止できる。
カプラーのアンカーボルト用雌ねじ部の内径と上揚力対応ボルト用雌ねじ部の内径を異なるようにし、前記アンカーボルト用雌ねじ部と前記上揚力対応ボルト用雌ねじ部とが連通する状態又はそれぞれ底部を有する状態にする構成により、アンカーボルト及び上揚力対応ボルトの螺着長を正確に設定できる。
【図面の簡単な説明】
【００１３】
【図１】本発明の実施形態を示す図である。
【図２】本発明の実施形態を示す図である。
【図３】本発明の実施形態を示す図である。
【図４】（ａ）（ｂ）（ｃ）本発明の実施形態を示す図である。
【図５】（ａ）（ｂ）本発明の実施形態を示す図である。
【図６】本発明の実施形態を示す図である。
【発明を実施するための形態】
【００１４】
本発明の実施の形態を図により説明する。図１は、本発明の支承固定構造を用いた支承構造示す図であり、図２は、支承固定構造の一部拡大図である。本発明の支承固定構造は、橋梁、建築等の構造物の支承装置の固定構造として用いられるものであり、支承装置の種類に限定されるものではない。また、図１では、下部構造への固定のために用いた例が示されているが、コンクリート製であれば上部構造に用いてよい。
【００１５】
図１に示される実施形態では、本発明の支承固定構造１は、上部構造２とコンクリート製の下部構造３の間に設置され支承装置４をコンクリート製の下部構造３に固定するために用いられる。支承固定構造１は、下部構造３に固定される支承取付用プレート５を備える。支承取付用プレート５に予め支承装置２２が固定された状態で設置現場に搬送される。支承取付用プレート５には複数の取付穴１０が形成される。
【００１６】
図３は、支承取付用プレート５に形成される取付穴１０の縦断面図である。取付穴１０は、小径部１０Ａと大径部１０Ｂが段部を介して連通している。小径部１０Ａの内壁には上揚力対応ボルト用雌ねじ部１０Ｃが形成される。
【００１７】
本発明の支承固定構造１は、図４（ａ）、（ｂ）、（ｃ）に示される円筒形のカプラー１１を備える。円筒形のカプラー１１の外径は、支承取付用プレート５に形成した取付穴１０の大径部１０Ｂの内径とほぼ同じとする。図４（ａ）に示されるカプラー１１は、その内周に同じ内径の雌ねじが形成され、上方の雌ねじが上揚力対応ボルト用雌ねじ部１１Ａで下方の雌ねじがアンカーボルト用雌ねじ部１１Ｂとする。上揚力対応ボルト用雌ねじ部１１Ａは、支承取付用プレート５に形成した取付穴１０の小径部１０Ａに形成した上揚力対応ボルト用雌ねじ部１０Ｃの内径と同じでピッチも同じとする。
【００１８】
図４（ｂ）に示されるカプラー１１は、その内周に上揚力対応ボルト用雌ねじ部１１Ａ
とアンカーボルト用雌ねじ部１１Ｂを形成し、上揚力対応ボルト用雌ねじ部１１Ａの内径をアンカーボルト用雌ねじ部１１Ｂの内径より大きくし、互いが連通するようにしたものである。上揚力対応ボルト用雌ねじ部１１Ａとアンカーボルト用雌ねじ部１１Ｂの内径を異なるように形成することにより、それぞれの螺着長を正確に設定できる。上揚力対応ボルト用雌ねじ部１１Ａの内径をアンカーボルト用雌ねじ部１１Ｂの内径より小さくしても良い。
【００１９】
図４（ｃ）に示されるカプラー１１は、その内周に上揚力対応ボルト用雌ねじ部１１Ａ
とアンカーボルト用雌ねじ部１１Ｂを形成し、上揚力対応ボルト用雌ねじ部１１Ａの内径をアンカーボルト用雌ねじ部１１Ｂの内径より大きくし、互いが連通しないようにしたものである。上揚力対応ボルト用雌ねじ部１１Ａとアンカーボルト用雌ねじ部１１Ｂの内径を異なるように形成することにより、それぞれの螺着長を正確に設定できる。上揚力対応ボルト用雌ねじ部１１Ａの内径をアンカーボルト用雌ねじ部１１Ｂの内径より小さくしても良い。
【００２０】
本発明の支承固定構造１は、図５（ａ）、（ｂ）に示される上揚力対応ボルト１２を備える。上揚力対応ボルト１２は、その外周に雄ねじ部１２Ａが形成され、上端面に回動工具係合用凹部１２Ｃが形成される。上揚力対応ボルト１２の雄ねじ部１２Ｂは、支承取付用プレート５に形成した取付穴１０の小径部１０Ｂの上揚力対応ボルト用雌ねじ部１０Ｃ
とカプラー１１に形成した上揚力対応ボルト用雌ねじ部１１Ａに渡って螺着される。
【００２１】
本発明の支承固定構造１は、図６に示されるアンカーボルト１３を備える。アンカーボルト１３の一端には、雄ねじ部１３Ａが形成される。アンカーボルト１３の雄ねじ部１３Ａは、カプラー１１のアンカーボルト用雌ねじ部１１Ｂに螺着される。
【００２２】
本発明の支承固定構造１の設置の施工手順を説明する。コンクリート製の下部構造３にアンカーボルト用穴２０を形成する。アンカーボルト用穴２０は、支承取付用プレート５に形成した取付穴１０の形成位置に対応するように形成する。支承取付用プレート５に支承装置支承装置２２を設置する。支承取付用プレート５の取付穴１０の大径部１０Ｂに、アンカーボルト１３の雄ねじ部１３Ａをアンカーボルト用雌ねじ部１１Ｂに螺着したカプラーを配置する。回動工具係合凹部１２Ｃに回動工具を係合させて駆動することにより、支承取付用プレート５の取付穴１０の小径部１０Ａの上揚力対応ボルト用雌ねじ部１０Ｃとカプラー１１に形成した上揚力対応ボルト用雌ねじ部１１Ａに渡って、上揚力対応ボルト１２の雄ねじ部１２Ａを螺着し、支承取付プレート５とアンカーボルト１３を連結する。その際、上揚力対応ボルト１２の上端面と支承取付プレート５の表面とが同一面となるようにする。そうすることにより、支承取付用プレート５の表面に邪魔な突起部が形成されないため他の支承装置の構成部材の配置が容易になる。
【００２３】
アンカーボルト１３をアンカーボルト用穴２０に配置する。支承取付用プレート５のレベルを調整し、アンカーボルト用穴２０に無収縮モルタル等の固化性充填材２１を充填し固化させることにより、支承装置４を載置した支承取付プレート５を下部構造３に固定する。支承装置４と上部構造２を連結固定する。上揚力対応ボルト１２の上端面に形成した回動工具係合用凹部１２Ｃに除去可能で耐腐食性の充填材を充填すると水等が溜まり腐食するのを防止できる。
【００２４】
支承装置４を取り替えるための撤去作業の手順を説明する。上揚力対応ボルト１２の
回動工具係合凹部１２Ｃに回動工具を係合し、上揚力対応ボルト１２を解除方向に回動させ、支承取付用プレート５の取付穴１０の小径部１０Ａの上揚力対応ボルト用雌ねじ部１０Ｃとカプラー１１に形成した上揚力対応ボルト用雌ねじ部１１Ａとの螺着を解除する。支承取付用プレート５は、下部構造３との固定が解除されるため、支承装置４と上部構造２との連結を解除し、上部構造２をジャッキアップして支承装置４を載置した支承取付用プレート５を撤去する。その後、カプラー１１とアンカーボルト１３の螺着を解除し、カプラー１１を撤去する。
【００２５】
以上のように、本発明の支承固定構造は、地震時の水平力、上揚力に抵抗することができ、上部構造又は下部構造への支承装置の設置、撤去を容易とすることができる。
【符号の説明】
【００２６】
１：支承固定構造、２：上部構造、３：下部構造、４：支承装置、５：支承取付用プレート、１０：取付穴、１０Ａ：小径部、１０Ｂ：大径部、１０Ｃ：上揚力対応ボルト用雌ねじ部、１１：カプラー、１１Ａ：上揚力対応ボルト用雌ねじ部、１１Ｂ：アンカーボルト用雌ねじ部、１２：上揚力対応ボルト、１２Ａ：雄ねじ部、１２Ｃ：回動工具係合用凹部、１３：アンカーボルト、１３Ａ：雄ねじ部、２０：アンカーボルト用穴、２１：固化性充填材
【図１】
2010216085.tif 000003
【図２】
2010216085.tif 000004
【図３】
2010216085.tif 000005
【図４】
2010216085.tif 000006
【図５】
2010216085.tif 000007
【図６】
2010216085.tif 000008